(57)【要約】【課題】通知を受けた保護者はその重大性や危険性などを把握することができる監視システムを得ること。【解決手段】監視システム１は、児童が所持するタグ１０が事前に予定したルート以外のルート上にあるアクセスポイントで検出された場合、そのことを当該児童の保護者の携帯電話に電子メールで通知するだけでなく、例えば、当該タグ１０の検出時刻や当該検出したアクセスポイントの位置や当該検出時刻とほぼ同時刻に当該アクセスポイントで検出された他の児童などに関する情報も、当該保護者の携帯電話に電子メールで通知する。【選択図】図１
2009093400.tif 000002
【特許請求の範囲】
【請求項１】
無線通信器と、所定の場所に設置した複数の読取器と、前記読取器と通信可能に接続された情報処理装置と、で構成された監視システムにおいて、
前記無線通信器は、
当該無線通信器を一意に識別するための通信器識別情報を記憶する通信側記憶手段
を備え、
各々の前記読取器は、
当該読取器を一意に識別するための読取器識別情報を記憶する読取側記憶手段と、
前記無線通信器で記憶した前記通信器識別情報を読み取る読取手段と、
時を計る計時手段と、
前記読取手段で前記通信器識別情報を読み取った時刻である読取時刻を前記計時手段から取得する取得手段と、
前記読取手段で読み取った前記通信器識別情報、前記取得手段で取得した前記読取時刻および前記読取側記憶手段で記憶した前記読取器識別情報を、前記情報処理装置に送信する送信手段と、
を備え、
前記情報処理装置は、
前記読取器識別情報と前記読取器の設置場所に関する設置場所情報とを関連付けてなる複数の読取器管理情報、および前記通信器識別情報と予め設定した１つまたは複数の前記読取器識別情報と情報の通知先に関する予め設定した通知先情報とを関連付けてなる複数の通信器管理情報を記憶する処理側記憶手段と、
前記読取器から送信された前記通信器識別情報、前記読取時刻および前記読取器識別情報を受信する受信手段と、
前記受信手段で受信した前記通信器識別情報を含む前記通信器管理情報を前記処理側記憶手段から検索したり、前記受信手段で受信した前記読取器識別情報を含む前記読取器管理情報を前記処理側記憶手段から検索したりする検索手段と、
前記検索手段で検索した前記通信器管理情報が前記受信手段で受信した前記読取器識別情報を含むか否かを判定する判定手段と、
前記判定手段での判定結果が、前記受信した前記読取器識別情報を含まないというものであった場合、予め設定した前記読取器以外のものが前記無線通信器を検出したことを、前記検索手段で検索した前記読取器管理情報を構成する前記設置場所情報および前記受信手段で受信した前記読取時刻と共に、前記検索手段で検索した前記通信器管理情報を構成する前記通知先情報で特定される前記通知先に通知する通知手段と、
を備えたこと
を特徴とする監視システム。
【請求項２】
前記通信器管理情報を構成する各々の前記読取器識別情報には、前記通信器識別情報を読み取る予定の時間である読取予定時間がさらに関連付けられており、
前記判定手段は、前記検索手段で検索した前記通信器管理情報を構成する前記読取予定時間が前記受信手段で受信した前記読取時刻を含むか否かをさらに判定し、
前記通知手段は、前記判定手段での前記判定結果が、前記受信した前記読取器識別情報を含まず且つ前記受信した前記読取時刻を含むというものであった場合、予め設定した前記読取器以外のものが前記予定の時間に前記無線通信器を検出したことをさらに通知すること
を特徴とする請求項１に記載の監視システム。
【請求項３】
前記処理側記憶手段は、前記受信手段で受信した前記通信器識別情報、前記読取時刻および前記読取器識別情報を関連付けてなる１つまたは複数の読取履歴情報をさらに記憶し、
前記通信器管理情報は、前記無線通信器の所持者に関する所持者情報をさらに関連付けてなり、
前記検索手段は、前記受信手段で受信した前記読取器識別情報を含み且つ前記受信手段で受信した前記読取時刻から所定時間遡った前記時刻までに該当する前記読取時刻を含む前記読取履歴情報を、前記処理側記憶手段からさらに検索し、検索した前記読取履歴情報を構成する前記通信器識別情報と関連付けられている前記所持者情報を、前記処理側記憶手段からさらに検索し、
前記通知手段は、前記検索手段で検索した前記所持者情報をさらに通知すること
を特徴とする請求項１または２に記載の監視システム。
【請求項４】
前記読取器を設置した場所に当該読取器と対応付けて設置され、当該読取器と通信可能に接続された複数のカメラをさらに備えて構成され、
前記取得手段は、前記カメラから画像をさらに取得し、
前記送信手段は、前記画像を前記情報処理装置にさらに送信し、
前記受信手段は、前記画像をさらに受信し、
前記通知手段は、前記判定手段での前記判定結果が、前記受信した前記読取器識別情報を含まないというものであった場合、前記受信手段で受信した前記画像をさらに通知すること
を特徴とする請求項１から３のいずれか１つに記載の監視システム。
【請求項５】
前記情報処理装置と通信可能に接続されたＧＰＳ（Ｇｌｏｂａｌ  Ｐｏｓｉｔｉｏｎｉｎｇ  Ｓｙｓｔｅｍ：全地球測位システム）端末をさらに備えて構成され、
前記通信器管理情報は、前記ＧＰＳ端末を一意に識別するためのＧＰＳ識別情報をさらに関連付けてなり、
前記受信手段は、前記ＧＰＳ端末から定期的に発信された当該ＧＰＳ端末の位置に関するＧＰＳ位置情報および前記ＧＰＳ識別情報をさらに受信し、
前記検索手段は、前記受信手段で受信した前記ＧＰＳ識別情報を含む前記通信器管理情報を前記処理側記憶手段からさらに検索し、検索した前記通信器管理情報を構成する前記読取器識別情報を含む前記読取器管理情報を前記処理側記憶手段からさらに検索し、
前記判定手段は、前記検索手段で検索した前記読取器管理情報を構成する前記設置場所情報に前記受信手段で受信した前記ＧＰＳ位置情報が含まれるか否かをさらに判定し、
前記通知手段は、前記判定手段での前記判定結果が、前記ＧＰＳ位置情報が含まれないというものであった場合、そのことを、前記受信手段で受信した前記ＧＰＳ位置情報と共にさらに通知すること
を特徴とする請求項１から４のいずれか１つに記載の監視システム。
【請求項６】
前記読取器は、外部からの操作を受けると、前記無線通信器の所持者が異常を知らせていることを示す異常通報を、前記読取手段で読み取った前記通信器識別情報、前記取得手段で取得した前記読取時刻および前記読取側記憶手段で記憶した前記読取器識別情報と共に、前記情報処理装置に送信する異常通報手段をさらに備え、
前記受信手段は、前記読取器から送信された前記異常通報をさらに受信し、
前記通知手段は、前記異常通報をさらに通知すること
を特徴とする請求項１から５のいずれか１つに記載の監視システム。
【請求項７】
前記通信側記憶手段は、前記通知先情報をさらに記憶し、
前記読取器は、外部からの操作を受けると、前記読取手段で読み取った前記通知先情報で特定される前記通知先に音声メッセージを発信する、または前記読取手段で読み取った前記通知先情報で特定される前記通知先と音声通話が可能な状態にする音声通信手段をさらに備えたこと
を特徴とする請求項１から６のいずれか１つに記載の監視システム。
【請求項８】
無線通信器と、所定の場所に設置した複数の読取器と、前記読取器と通信可能に接続された情報処理装置と、で構成された監視システムにおいて、
前記無線通信器は、
当該無線通信器を一意に識別するための通信器識別情報を記憶する通信側記憶手段
を備え、
各々の前記読取器は、
当該読取器を一意に識別するための読取器識別情報を記憶する読取側記憶手段と、
前記無線通信器で記憶した前記通信器識別情報を読み取る読取手段と、
時を計る計時手段と、
前記読取手段で前記通信器識別情報を読み取った時刻である読取時刻を前記計時手段から取得する取得手段と、
外部からの操作を受けると、前記無線通信器の所持者が異常を知らせていることを示す異常通報を、前記読取手段で読み取った前記通信器識別情報、前記取得手段で取得した前記読取時刻および前記読取側記憶手段で記憶した前記読取器識別情報と共に、前記情報処理装置に送信する異常通報手段と、
を備え、
前記情報処理装置は、
前記読取器識別情報と前記読取器の設置場所に関する設置場所情報とを関連付けてなる複数の読取器管理情報、および前記通信器識別情報と情報の通知先に関する予め設定した通知先情報とを関連付けてなる複数の通信器管理情報を記憶する処理側記憶手段と、
前記読取器から送信された前記異常通報、前記通信器識別情報、前記読取時刻および前記読取器識別情報を受信する受信手段と、
前記受信手段で受信した前記通信器識別情報を含む前記通信器管理情報を前記処理側記憶手段から検索したり、前記受信手段で受信した前記読取器識別情報を含む前記読取器管理情報を前記処理側記憶手段から検索したりする検索手段と、
前記受信手段で受信した前記異常通報を、前記検索手段で検索した前記読取器管理情報を構成する前記設置場所情報および前記受信手段で受信した前記読取時刻と共に、前記検索手段で検索した前記通信器管理情報を構成する前記通知先情報で特定される前記通知先に通知する通知手段と、
を備えたこと
を特徴とする監視システム。
【請求項９】
前記通信側記憶手段は、前記通知先情報をさらに記憶し、
前記読取器は、外部からの操作を受けると、前記読取手段で読み取った前記通知先情報で特定される前記通知先に音声メッセージを発信する、または前記読取手段で読み取った前記通知先情報で特定される前記通知先と音声通話が可能な状態にする音声通信手段をさらに備えたこと
を特徴とする請求項８に記載の監視システム。
【発明の詳細な説明】
【技術分野】
【０００１】
本発明は、監視システムに関する。
【背景技術】
【０００２】
監視システムに関する従来の技術としては、（特許文献１）や（非特許文献１）が存在する。
【０００３】
（非特許文献１）には、ネットワークセキュリティ技術を導入した街角見守りセンサーシステムが開示されている。街角見守りセンサーシステムは、子供のランドセルに装着した電子タグと、学校の校門や通学路や街中に設置した見守りセンサー（電子タグリーダおよびＩＰカメラからなるもの）と、メールサーバと、Ｗｅｂサーバと、管理用データベースサーバと、で構成され、子供が携帯しているランドセルに装着した電子タグと連動して各見守りセンサーが子供の登下校状況を把握する。これにより、子供の通過履歴や通過画像をＷｅｂやメールで保護者が確認することができる。
【０００４】
しかし、（非特許文献１）によれば、児童が見守りセンサーを通過する度にその様子を保護者に通知するので、必要以上に多くの通知が保護者に送られる虞がある。
【０００５】
そこで、（特許文献１）には、児童の行動予定から計算された登校完了予想時刻を超えて所定の時間経過しても登校未了の場合や、児童の行動予定から計算された下校完了予想時刻を超えて所定の時間経過しても下校未了の場合に、保護者に対する通報を行う児童防犯通報システムが開示されている。これにより、児童の防犯に関し、適切なタイミングで保護者に注意を喚起することができる。
【特許文献１】特開２００５−１８２４６９号公報
【非特許文献１】松下電器産業株式会社が開発した街角見守りセンサーシステムに関するホームページ“ｈｔｔｐ：／／ｐａｎａｓｏｎｉｃ．ｃｏ．ｊｐ／ｃｏｒｐ／ｎｅｗｓ／ｏｆｆｉｃｉａｌ．ｄａｔａ／ｄａｔａ．ｄｉｒ／ｊｎ０６０６０１−２／ｊｎ０６０６０１−２．ｈｔｍｌ”
【発明の開示】
【発明が解決しようとする課題】
【０００６】
しかしながら、（特許文献１）によれば、児童の行動が所定の条件から外れた場合にそのことを単に保護者に通知するのみなので、保護者は、送られてきた通知の重大性や危険性などを把握することが困難であるという問題点があった。
【０００７】
本発明は、上記問題点に鑑みてなされたものであって、通知を受けた保護者はその重大性や危険性などを把握することができる監視システムを提供することを目的とする。
【課題を解決するための手段】
【０００８】
上述した課題を解決し、上述した目的を達成するために、本発明において、読取器は、無線通信器から通信器識別情報を読み取り、当該読み取った時刻である読取時刻を取得し、読み取った通信器識別情報、取得した読取時刻および予め記憶した読取器識別情報を情報処理装置に送信し、情報処理装置は、読取器から送信された通信器識別情報、読取時刻および読取器識別情報を受信し、受信した通信器識別情報を含む通信器管理情報を検索したり受信した読取器識別情報を含む読取器管理情報を検索したりし、検索した通信器管理情報が受信した読取器識別情報を含むか否かを判定し、その判定結果が、受信した読取器識別情報を含まないというものであった場合、予め設定した読取器以外のものが無線通信器を検出したことを、検索した読取器管理情報を構成する設置場所情報および受信した読取時刻と共に、検索した通信器管理情報を構成する通知先情報で特定される通知先に通知するものである。
【０００９】
また、本発明において、読取器は、外部からの操作を受けると、無線通信器から通信器識別情報を読み取り、当該読み取った時刻である読取時刻を取得し、無線通信器の所持者が異常を知らせていることを示す異常通報を、読み取った通信器識別情報、取得した読取時刻および予め記憶した読取器識別情報と共に情報処理装置に送信し、情報処理装置は、読取器から送信された異常通報、通信器識別情報、読取時刻および読取器識別情報を受信し、受信した通信器識別情報を含む通信器管理情報を検索したり受信した読取器識別情報を含む読取器管理情報を検索したりし、受信した異常通報を、検索した読取器管理情報を構成する設置場所情報および受信した読取時刻と共に、検索した通信器管理情報を構成する通知先情報で特定される通知先に通知するものである。
【発明の効果】
【００１０】
本発明によれば、通知を受けた保護者はその重大性や危険性などを把握することができる監視システムが得られる。
【発明を実施するための最良の形態】
【００１１】
第１の発明の監視システムは、無線通信器と、所定の場所に設置した複数の読取器と、前記読取器と通信可能に接続された情報処理装置と、で構成された監視システムにおいて、前記無線通信器は、当該無線通信器を一意に識別するための通信器識別情報を記憶する通信側記憶手段を備え、各々の前記読取器は、当該読取器を一意に識別するための読取器識別情報を記憶する読取側記憶手段と、前記無線通信器で記憶した前記通信器識別情報を読み取る読取手段と、時を計る計時手段と、前記読取手段で前記通信器識別情報を読み取った時刻である読取時刻を前記計時手段から取得する取得手段と、前記読取手段で読み取った前記通信器識別情報、前記取得手段で取得した前記読取時刻および前記読取側記憶手段で記憶した前記読取器識別情報を、前記情報処理装置に送信する送信手段と、を備え、前記情報処理装置は、前記読取器識別情報と前記読取器の設置場所に関する設置場所情報とを関連付けてなる複数の読取器管理情報、および前記通信器識別情報と予め設定した１つまたは複数の前記読取器識別情報と情報の通知先に関する予め設定した通知先情報とを関連付けてなる複数の通信器管理情報を記憶する処理側記憶手段と、前記読取器から送信された前記通信器識別情報、前記読取時刻および前記読取器識別情報を受信する受信手段と、前記受信手段で受信した前記通信器識別情報を含む前記通信器管理情報を前記処理側記憶手段から検索したり、前記受信手段で受信した前記読取器識別情報を含む前記読取器管理情報を前記処理側記憶手段から検索したりする検索手段と、前記検索手段で検索した前記通信器管理情報が前記受信手段で受信した前記読取器識別情報を含むか否かを判定する判定手段と、前記判定手段での判定結果が、前記受信した前記読取器識別情報を含まないというものであった場合、予め設定した前記読取器以外のものが前記無線通信器を検出したことを、前記検索手段で検索した前記読取器管理情報を構成する前記設置場所情報および前記受信手段で受信した前記読取時刻と共に、前記検索手段で検索した前記通信器管理情報を構成する前記通知先情報で特定される前記通知先に通知する通知手段と、を備えたことを特徴としたものである。この構成により、通知を受けた保護者はその重大性や危険性などを把握することができるという作用を有する。
【００１２】
第２の発明の監視システムは、前記の発明の監視システムにおいて、前記通信器管理情報を構成する各々の前記読取器識別情報には、前記通信器識別情報を読み取る予定の時間である読取予定時間がさらに関連付けられており、前記判定手段は、前記検索手段で検索した前記通信器管理情報を構成する前記読取予定時間が前記受信手段で受信した前記読取時刻を含むか否かをさらに判定し、前記通知手段は、前記判定手段での前記判定結果が、前記受信した前記読取器識別情報を含まず且つ前記受信した前記読取時刻を含むというものであった場合、予め設定した前記読取器以外のものが前記予定の時間に前記無線通信器を検出したことをさらに通知することを特徴としたものである。この構成により、通知を受けた保護者はその重大性や危険性などを把握することができるという作用を有する。
【００１３】
第３の発明の監視システムは、前記の発明の監視システムにおいて、前記処理側記憶手段は、前記受信手段で受信した前記通信器識別情報、前記読取時刻および前記読取器識別情報を関連付けてなる１つまたは複数の読取履歴情報をさらに記憶し、前記通信器管理情報は、前記無線通信器の所持者に関する所持者情報をさらに関連付けてなり、前記検索手段は、前記受信手段で受信した前記読取器識別情報を含み且つ前記受信手段で受信した前記読取時刻から所定時間遡った前記時刻までに該当する前記読取時刻を含む前記読取履歴情報を、前記処理側記憶手段からさらに検索し、検索した前記読取履歴情報を構成する前記通信器識別情報と関連付けられている前記所持者情報を、前記処理側記憶手段からさらに検索し、前記通知手段は、前記検索手段で検索した前記所持者情報をさらに通知することを特徴としたものである。この構成により、通知を受けた保護者はその重大性や危険性などをさらに詳細に把握することができるという作用を有する。
【００１４】
第４の発明の監視システムは、前記の発明の監視システムにおいて、前記読取器を設置した場所に当該読取器と対応付けて設置され、当該読取器と通信可能に接続された複数のカメラをさらに備えて構成され、前記取得手段は、前記カメラから画像をさらに取得し、前記送信手段は、前記画像を前記情報処理装置にさらに送信し、前記受信手段は、前記画像をさらに受信し、前記通知手段は、前記判定手段での前記判定結果が、前記受信した前記読取器識別情報を含まないというものであった場合、前記受信手段で受信した前記画像をさらに通知することを特徴としたものである。この構成により、通知を受けた保護者はその重大性や危険性などをさらに詳細に把握することができるという作用を有する。
【００１５】
第５の発明の監視システムは、前記の発明の監視システムにおいて、前記情報処理装置と通信可能に接続されたＧＰＳ（Ｇｌｏｂａｌ  Ｐｏｓｉｔｉｏｎｉｎｇ  Ｓｙｓｔｅｍ：全地球測位システム）端末をさらに備えて構成され、前記通信器管理情報は、前記ＧＰＳ端末を一意に識別するためのＧＰＳ識別情報をさらに関連付けてなり、前記受信手段は、前記ＧＰＳ端末から定期的に発信された当該ＧＰＳ端末の位置に関するＧＰＳ位置情報および前記ＧＰＳ識別情報をさらに受信し、前記検索手段は、前記受信手段で受信した前記ＧＰＳ識別情報を含む前記通信器管理情報を前記処理側記憶手段からさらに検索し、検索した前記通信器管理情報を構成する前記読取器識別情報を含む前記読取器管理情報を前記処理側記憶手段からさらに検索し、前記判定手段は、前記検索手段で検索した前記読取器管理情報を構成する前記設置場所情報に前記受信手段で受信した前記ＧＰＳ位置情報が含まれるか否かをさらに判定し、前記通知手段は、前記判定手段での前記判定結果が、前記ＧＰＳ位置情報が含まれないというものであった場合、そのことを、前記受信手段で受信した前記ＧＰＳ位置情報と共にさらに通知することを特徴としたものである。この構成により、通知を受けた保護者はその重大性や危険性などをさらに詳細に把握することができるという作用を有する。
【００１６】
第６の発明の監視システムは、前記の発明の監視システムにおいて、前記読取器は、外部からの操作を受けると、前記無線通信器の所持者が異常を知らせていることを示す異常通報を、前記読取手段で読み取った前記通信器識別情報、前記取得手段で取得した前記読取時刻および前記読取側記憶手段で記憶した前記読取器識別情報と共に、前記情報処理装置に送信する異常通報手段をさらに備え、前記受信手段は、前記読取器から送信された前記異常通報をさらに受信し、前記通知手段は、前記異常通報をさらに通知することを特徴としたものである。この構成により、無線通信器の所持者は自らの行為で異常通報を保護者に発することができるので当該所持者はその行為によって安堵感を得ることができ、通知を受けた保護者はその重大性や危険性などを容易に把握することができるという作用を有する。
【００１７】
第７の発明の監視システムは、前記の発明の監視システムにおいて、前記通信側記憶手段は、前記通知先情報をさらに記憶し、前記読取器は、外部からの操作を受けると、前記読取手段で読み取った前記通知先情報で特定される前記通知先に音声メッセージを発信する、または前記読取手段で読み取った前記通知先情報で特定される前記通知先と音声通話が可能な状態にする音声通信手段をさらに備えたことを特徴としたものである。この構成により、保護者は無線通信器の所持者からのメッセージを聞いたり当該所持者と直接会話したりすることができ、その結果、通知を受けた保護者はその重大性や危険性などを直接把握することができるという作用を有する。
【００１８】
第８の発明の監視システムは、無線通信器と、所定の場所に設置した複数の読取器と、前記読取器と通信可能に接続された情報処理装置と、で構成された監視システムにおいて、前記無線通信器は、当該無線通信器を一意に識別するための通信器識別情報を記憶する通信側記憶手段を備え、各々の前記読取器は、当該読取器を一意に識別するための読取器識別情報を記憶する読取側記憶手段と、前記無線通信器で記憶した前記通信器識別情報を読み取る読取手段と、時を計る計時手段と、前記読取手段で前記通信器識別情報を読み取った時刻である読取時刻を前記計時手段から取得する取得手段と、外部からの操作を受けると、前記無線通信器の所持者が異常を知らせていることを示す異常通報を、前記読取手段で読み取った前記通信器識別情報、前記取得手段で取得した前記読取時刻および前記読取側記憶手段で記憶した前記読取器識別情報と共に、前記情報処理装置に送信する異常通報手段と、を備え、前記情報処理装置は、前記読取器識別情報と前記読取器の設置場所に関する設置場所情報とを関連付けてなる複数の読取器管理情報、および前記通信器識別情報と情報の通知先に関する予め設定した通知先情報とを関連付けてなる複数の通信器管理情報を記憶する処理側記憶手段と、前記読取器から送信された前記異常通報、前記通信器識別情報、前記読取時刻および前記読取器識別情報を受信する受信手段と、前記受信手段で受信した前記通信器識別情報を含む前記通信器管理情報を前記処理側記憶手段から検索したり、前記受信手段で受信した前記読取器識別情報を含む前記読取器管理情報を前記処理側記憶手段から検索したりする検索手段と、前記受信手段で受信した前記異常通報を、前記検索手段で検索した前記読取器管理情報を構成する前記設置場所情報および前記受信手段で受信した前記読取時刻と共に、前記検索手段で検索した前記通信器管理情報を構成する前記通知先情報で特定される前記通知先に通知する通知手段と、を備えたことを特徴としたものである。この構成により、無線通信器の所持者は自らの行為で異常通報を保護者に発することができるので当該所持者はその行為によって安堵感を得ることができ、通知を受けた保護者はその重大性や危険性などを容易に把握することができるという作用を有する。
【００１９】
第９の発明の監視システムは、前記の発明の監視システムにおいて、前記通信側記憶手段は、前記通知先情報をさらに記憶し、前記読取器は、外部からの操作を受けると、前記読取手段で読み取った前記通知先情報で特定される前記通知先に音声メッセージを発信する、または前記読取手段で読み取った前記通知先情報で特定される前記通知先と音声通話が可能な状態にする音声通信手段をさらに備えたことを特徴としたものである。この構成により、保護者は無線通信器の所持者からのメッセージを聞いたり当該所持者と直接会話したりすることができ、その結果、通知を受けた保護者はその重大性や危険性などを直接把握することができるという作用を有する。
【００２０】
以下、本発明にかかる監視システムの実施の形態を図面に基づいて詳細に説明する。なお、本実施の形態により本発明が限定されるものではない。
［１．本実施の形態の概要］
本実施の形態にかかる監視システム（本実施の形態では、本システムと記す場合がある。）の概要（その１〜その８）について、図１〜図８を参照して説明する。
【００２１】
図１は、本システムの概要（その１）を示す図である。図１において、符号１は監視システムであり、符号１０はＲＦＩＤ（Ｒａｄｉｏ  Ｆｒｅｑｕｅｎｃｙ  Ｉｄｅｎｔｉｆｉｃａｔｉｏｎ）タグ（本実施の形態では、タグと記す場合がある。）であり、符号１１はリーダであり、符号１２は管理サーバであり、符号１３はネットワークである。
【００２２】
本システム１は、複数のタグ１０と、複数のリーダ１１と、管理サーバ１２と、リーダ１１と管理サーバ１２とを通信可能に接続するネットワーク１３と、で構成される。タグ１０は、例えば、ランドセルのなど児童の所持品に取り付けられる。リーダ１１は、例えば、児童の自宅から学校までの通学経路を含む地域や地区一帯に設置される。本実施の形態では、リーダ１１を設置した場所を“アクセスポイント”と記す場合がある。リーダ１１は、タグ１０を検出すると、当該タグ１０で記憶したＩＤ（タグＩＤ）を読み取り、読み取ったタグＩＤ、その読取時刻、および当該リーダ１１で記憶したＩＤ（リーダＩＤ）を管理サーバ１２に送信する。
【００２３】
まず、児童の保護者は、アクセスポイント通過スケジュールを児童単位で管理サーバ１２に登録する。アクセスポイント通過スケジュールは、児童が通過するアクセスポイントごとに、その通過順序や、それを通過する時間・時刻などを規定した情報である。アクセスポイントを通過する時間を、例えば或るアクセスポイントから次のアクセスポイントを通過するまでの時間の差分で登録した場合、タグ１０を検出したアクセスポイントの位置が適正であるか否かについては、当該アクセスポイントに関する情報と、当該タグ１０を直前に検出したアクセスポイントに関する情報との差分から判断する。
【００２４】
アクセスポイント通過スケジュールは、例えば保護者の自宅に設置されているパーソナルコンピュータ（ＰＣ）から登録することができる。そして、その登録を行う場合、例えば、所定の設定画面を介して、登録したいアクセスポイントを、そのＩＤで指定してもよく、またそれを含むエリア（例えば地区名や地域名や番地など）などで指定することができる。
【００２５】
本システム１は、アクセスポイント通過スケジュールで登録したアクセスポイントと異なるアクセスポイントでタグ１０を検出した場合、そのことを保護者の携帯電話に電子メールで通報（通知）すると共に、例えば、当該タグ１０を検出したアクセスポイントの位置に関する情報（具体的には住所（例えば番地）や地図など）や当該タグ１０を検出した時刻（検出時刻）なども併せて通報する。具体的には、タグ１０を検出したリーダ１１は、当該リーダ１１のＩＤ（リーダＩＤ）を管理サーバ１２に通知する。そして、管理サーバ１２は、リーダ１１から通知されたリーダＩＤに基づいて、当該リーダＩＤに対応するリーダ１１の設置位置に関する情報（具体的には住所（例えば番地）や地図など）を得る。そして、管理サーバ１２は、得たリーダ１１の設置位置に関する情報を保護者の携帯電話に電子メールで通知する。
【００２６】
また、本システム１は、アクセスポイント通過スケジュールで登録したエリアと異なるエリアで、タグ１０が、当該スケジュールで登録した予定時間に検出された場合、そのことを保護者の携帯電話に電子メールで通報する。
【００２７】
また、本システム１は、アクセスポイントでタグ１０が検出された場合、例えば、当該アクセスポイントでほぼ同時刻（例えば検出時から過去２〜３分以内）に検出された他のタグ１０に関する情報を、保護者の携帯電話に電子メールで通報する。なお、当該他のタグ１０に関する情報としては、具体的には、当該他のタグ１０のＩＤ（タグＩＤ）や、当該他のタグ１０を所持する児童の名前やその児童が在籍する学校名やその児童の学年などに関する同伴者情報などが挙げられる。
【００２８】
また、本システム１は、アクセスポイント通過スケジュールで登録したエリア内のアクセスポイントでタグ１０が検出された場合、例えば、当該アクセスポイントの位置に関する情報（具体的には住所（例えば番地）や地図など）や同伴者情報などを、保護者の携帯電話に電子メールで通報する。
【００２９】
また、本システム１は、アクセスポイント通過スケジュールで登録したエリア内のアクセスポイントでタグ１０を検出した検出時刻が当該スケジュールで登録した予定時間から大幅に遅れていた場合、例えば同伴者情報などを、保護者の携帯電話に電子メールで通報する。
【００３０】
図２は、本システムの概要（その２）を示す図である。なお、ここでは、上述した説明と重複するものを省略する場合がある。図２において、符号１は監視システムであり、符号１０はタグであり、符号１１はリーダであり、符号１２は管理サーバであり、符号１３はネットワークであり、符号１４はカメラである。
【００３１】
本システム１は、複数のタグ１０と、リーダ１１およびカメラ１４の複数のセットと、管理サーバ１２と、ネットワーク１３と、で構成される。カメラ１４は、リーダ１１と通信可能に接続され、リーダ１１と共にアクセスポイントに設置される。リーダ１１は、タグ１０を検出するとカメラ１４から画像を取得する。リーダ１１は、読み取ったタグＩＤ、その読取時刻およびリーダＩＤに加え、カメラ１４で撮像した画像も管理サーバ１２に送信する。
【００３２】
本システム１は、児童がアクセスポイント通過スケジュールに反して行動した場合（例えば、アクセスポイント通過スケジュールで登録したアクセスポイントと異なるアクセスポイントでタグ１０が検出された場合）、そのことを保護者の携帯電話に電子メールで通報すると共に、カメラ１４で撮影した画像などを、保護者の携帯電話に電子メールで併せて通報する。
【００３３】
また、本システム１は、児童の現在位置を調べるよう保護者から携帯電話を介して要求された場合、当該要求の際に保護者が指定したタグＩＤの現在位置を調べると共に、当該タグＩＤと関連する画像を検出し、それらを保護者の携帯電話に電子メールで通知する。なお、本システム１は、タグＩＤと関連する画像を検出できなかったときは、過去に検出した画像や同伴者情報などを保護者の携帯電話に電子メールで通知する。
【００３４】
図３は、本システムの概要（その３）を示す図である。なお、ここでは、上述した説明と重複するものを省略する場合がある。図３において、符号１は監視システムであり、符号１０はタグであり、符号１１はリーダであり、符号１２は管理サーバであり、符号１３はネットワークであり、符号１４はカメラであり、符号１５はＧＰＳ（Ｇｌｏｂａｌ  Ｐｏｓｉｔｉｏｎｉｎｇ  Ｓｙｓｔｅｍ：全地球測位システム）端末である。
【００３５】
本システム１は、タグ１０およびＧＰＳ端末１５の複数のセットと、リーダ１１およびカメラ１４の複数のセットと、管理サーバ１２と、ネットワーク１３と、で構成される。カメラ１４は、リーダ１１と共にアクセスポイントに設置される。ＧＰＳ端末１５は、タグ１０と共に児童の所持品に取り付けられる。ＧＰＳ端末１５は、定期的に位置情報を管理サーバ１２へ発信する。
【００３６】
本システム１は、児童の行動パターンがアクセスポイント通過スケジュールと大きく異なり、さらにＧＰＳ端末１５で得た当該児童の位置情報が当該スケジュールで登録したエリア外である場合、例えば、ＧＰＳ端末１５で得たその児童の位置情報や同伴者情報などを、保護者の携帯電話に電子メールで通報する。なお、本システム１は、児童の行動パターンがアクセスポイント通過スケジュールと大きく異なるものの、ＧＰＳ端末１５で得た当該児童の位置情報が当該スケジュールで登録したエリア内である場合は、通報しない。
【００３７】
また、本システム１は、タグ１０を所持する児童が管理サーバ１２へ緊急通報した時には、例えばカメラ１４で撮影した画像などを、保護者の携帯電話に電子メールで通報する。なお、本システム１は、タグ１０を所持する児童以外の者（例えば住民や通行人）が管理サーバ１２へ緊急通報した時には、セキュリティの観点から、カメラ１４で撮影した画像を通報しない。
【００３８】
図４は、本システムの概要（その４）を示す図である。なお、ここでは、上述した説明と重複するものを省略する場合がある。図４において、符号１は監視システムであり、符号１０はタグであり、符号１１はリーダである。
【００３９】
リーダ１１は、タグ１０を所持する児童が何らかの異常を訴えていることを管理サーバ１２へネットワーク１３経由で通報する異常通報手段をさらに備える。リーダ１１は、自動販売機に取り付けられる。リーダ１１が取り付けられた自動販売機の所定の位置には、当該リーダ１１が備える異常通報手段を作動させるための作動ボタン（通報ボタン）が取り付けられている。
【００４０】
本システム１は、タグ１０を所持する児童が通報ボタンを押すと、例えば、アクセスポイントの位置に関する情報やタグＩＤ、同伴者情報などを、保護者の携帯電話や地域コミュニティーで設けたパーソナルコンピュータに電子メールで通報する。
【００４１】
また、リーダ１１は、ＩＰ電話のような音声通信手段をさらに備える。リーダ１１が取り付けられた自動販売機の所定の位置には、当該リーダ１１が備える音声通信手段を作動させるための作動ボタン（通信ボタン）が取り付けられている。
【００４２】
本システム１は、タグ１０を所持する児童が通信ボタンを押すと、当該タグ１０のタグＩＤを読み取り、それに基づいて、保護者の携帯電話に音声メッセージを通知する。本システム１は、タグ１０を所持する児童が通信ボタンを押すと、当該タグ１０のタグＩＤを読み取り、それに基づいて、リーダ１１と保護者の携帯電話との間で音声通話ができる状態にする。
【００４３】
図５は、本システムの概要（その５）を示す図である。なお、ここでは、上述した説明と重複するものを省略する場合がある。図５において、符号１は監視システムであり、符号１０はタグであり、符号１１はリーダであり、符号１２は管理サーバであり、符号１３はネットワークである。
【００４４】
例えば学校への通学の場合、アクセスポイント通過スケジュールに登録するアクセスポイントを、エリア単位で指定することができる。
【００４５】
本システム１は、アクセスポイント通過スケジュールで登録したアクセスポイントから外れたアクセスポイントでタグ１０を検出した場合（例えば、登録したエリア内のアクセスポイント内での差分時間設定から外れた場合）、そのことを保護者の携帯電話に電子メールで通報すると共に、例えば、当該外れたアクセスポイントの位置に関する情報（具体的には住所（例えば番地）や地図など）や当該タグ１０が検出された時刻（検出時刻）などを併せて通報する。
【００４６】
本システム１は、児童の通学スタートポイントから、途中の通学経路で検出したタグＩＤおよび位置情報に基づいて差分時間を判定し、アクセスポイント通過スケジュールで登録したエリア内か外かを判定する。本システム１は、アクセスポイント通過スケジュールで登録したエリア外と判定した場合、そのことを保護者に通報する。
【００４７】
本システム１では、リーダ１１の位置を登録した時、当該登録した位置の差分に応じた移動時間を管理サーバ１２で計算することができる。
【００４８】
本システム１では、例えば児童の移動手段（例えば自転車、徒歩、自動車など）や移動速度などを設定することができる。これにより、家から学校までの時間管理だけでなく、家からその他の場所への移動を監視することもできる。
【００４９】
本システム１では、アクセスポイント通過スケジュールに反しているか否かの判定において、出発地点−目的地点の時間管理設定を優先することができる。その場合、出発地点−目的地点の移動設定時間に対し、途中経路は、距離に応じた時間差が設定される。
【００５０】
図６は、本システムの概要（その６）を示す図である。なお、ここでは、上述した説明と重複するものを省略する場合がある。図６において、符号１は監視システムであり、符号１０はタグであり、符号１１はリーダであり、符号１２は管理サーバであり、符号１３はネットワークである。
【００５１】
本システム１では、自宅がアクセスポイントではない場合（自宅にリーダ１１が設置されてない場合）、通学スタート時のアクセスポイントに関する情報を管理サーバ１２が認識できないので、当該スタート時を知らせる情報を保護者の携帯電話から電子メールで管理サーバ１２に通知したり、当該スタート時を知らせる情報を予め管理サーバ１２に登録しておいたりすることができる。
【００５２】
本システム１では、下記のような週の行動スケジュールや、複数の帰路エリアに関する情報を、管理サーバ１２に登録することができる。
【００５３】
（例）月曜日：学校→家
火曜日：学校→塾→家
水曜日：学校→塾→家
木曜日：学校→水泳→家
図７は、本システムの概要（その７）を示す図である。なお、ここでは、上述した説明と重複するものを省略する場合がある。図７において、符号１は監視システムであり、符号１０はタグであり、符号１１はリーダであり、符号１２は管理サーバであり、符号１３はネットワークである。
【００５４】
本システム１では、児童からの異常通報時に管理エリア１の管理サーバ１２が検索したタグＩＤなどの情報が古い場合、当該管理サーバ１２が、当該管理エリア１以外の管理エリア（例えば管理エリア２）の管理サーバ１２に当該タグＩＤの位置情報を問い合わせ、管理エリア２の管理サーバ１２が指定ＩＤの位置情報を検出し、それを管理エリア１の管理サーバ１２に送信する。
【００５５】
図８は、本システムの概要（その８）を示す図である。なお、ここでは、上述した説明と重複するものを省略する場合がある。図８において、符号１は監視システムであり、符号１０はタグであり、符号１１はリーダであり、符号１２は管理サーバであり、符号１３はネットワークである。
【００５６】
本システム１は、タグＩＤが検出されたアクセスポイントに関する情報を、保護者に電子メールで通知する。本システム１は、デパートのような商業施設やバス停や駅のような交通施設での位置検出機能との連携により、アクセスポイントに関する情報やその商業施設に関する広告情報を、保護者に電子メールで通知する。
【００５７】
これにより、行方不明になった子供（児童）を探し出すことができる。また、商業施設などとの連携により、保護者は、アクセスポイントに関する情報を入手することができると同時に、その商業施設などの広告情報も入手することができる。また、商業施設側は、子供の見守り情報と共に広告も配信することができる。なお、本システム１は、保護者の携帯電話に広告が多数配信されるのを防ぐために、必要な広告のみを選択することができる。
［２．システム構成］
本システムの構成について、図９から図１５を参照して説明する。
【００５８】
図９は、本システムの全体構成の一例を示す図である。図９において、符号１は監視システムであり、符号１０はタグであり、符号１１はリーダであり、符号１２は管理サーバであり、符号１３はネットワークであり、符号１４はカメラであり、符号１５はＧＰＳ端末である。
【００５９】
本システム１は、タグ１０およびＧＰＳ端末１５の複数のセットと、リーダ１１およびカメラ１４の複数のセットと、管理サーバ１２と、ネットワーク１３と、で構成される。
【００６０】
タグ１０は、本発明の無線通信器に相当するものであり、本発明の通信側記憶手段に相当する記憶部１０ａを備える。タグ１０およびＧＰＳ端末１５のセットは、所定の所持者（例えば児童など）の所持品に取り付けられる。記憶部１０ａは、当該タグ１０固有のＩＤ（タグＩＤ：本発明の通信器識別情報に相当）を記憶する。記憶部１０ａは、例えば前記所持者の保護者が所有する携帯電話の電子メールアドレスや電話番号などの通知先に関する通知先情報（本発明の通知先情報に相当）をさらに記憶してもよい。タグ１０は、パッシブタイプのものでもよく、アクティブタイプのものでもよい。ＧＰＳ端末１５は、本発明のＧＰＳ端末に相当するものであり、当該ＧＰＳ端末１５の位置に関するＧＰＳ位置情報（本発明のＧＰＳ位置情報に相当）、当該ＧＰＳ位置情報を受信した受信時刻、当該ＧＰＳ端末１５固有のＩＤ（ＧＰＳ−ＩＤ：本発明のＧＰＳ識別情報に相当）を定期的に管理サーバ１２に発信する。
【００６１】
図１０は、本システムを構成するリーダ１１の構成の一例を示すブロック図であり、当該構成のうち本発明に関係する部分のみを概念的に示している。図１０において、符号１１はリーダであり、符号１３はネットワークであり、符号１４はカメラである。図１０において、符号１１ａは記憶部であり、符号１１ｂは読取部であり、符号１１ｃは計時部であり、符号１１ｄは取得部であり、符号１１ｅは送信部であり、符号１１ｆは異常通報部であり、符号１１ｇは通報ボタンであり、符号１１ｈは音声通信部であり、符号１１ｉは通信ボタンである。
【００６２】
リーダ１１は、本発明の読取器に相当するものであり、ネットワーク１３経由で管理サーバ１２と通信可能に接続されている。リーダ１１は、本発明のカメラに相当するカメラ１４と通信可能に接続されている。リーダ１１は、図示の如く、大別して、本発明の読取側記憶手段に相当する記憶部１１ａと、本発明の読取手段に相当する読取部１１ｂと、本発明の計時手段に相当する計時部１１ｃと、本発明の取得手段に相当する取得部１１ｄと、本発明の送信手段に相当する送信部１１ｅと、本発明の異常通報手段に相当する異常通報部１１ｆと、通報ボタン１１ｇと、本発明の音声通信手段に相当する音声通信部１１ｈと、通信ボタン１１ｉと、を備える。
【００６３】
記憶部１１ａは、当該リーダ１１固有のＩＤ（リーダＩＤ：本発明の読取器識別情報に相当）を記憶する。読取部１１ｂは、タグ１０で記憶したタグＩＤや通信先情報を読み取る。計時部１１ｃは時を計る。取得部１１ｄは、タグＩＤを読み取った読取時刻（本発明の読取時刻に相当）を計時部１１ｃから取得したり、カメラ１４で撮像した画像（本発明の画像に相当）を取得したりする。送信部１１ｅは、読取部１１ｂで読み取ったタグＩＤ、取得部１１ｄで取得した読取時刻や画像および記憶部１１ａで記憶したリーダＩＤを、管理サーバ１２にネットワーク１３経由で送信する。異常通報部１１ｆは、通報ボタン１１ｇが押されると、タグ１０の所持者が異常を知らせていることを示す所定の異常通報を、読取部１１ｂで読み取ったタグＩＤ、取得部１１ｄで取得した読取時刻や画像および記憶部１１ａで記憶したリーダＩＤと共に管理サーバ１２にネットワーク１３経由で送信する。通報ボタン１１ｇは、異常通報部１１ｆを作動させるためのスイッチである。音声通信部１１ｈは、通信ボタン１１ｉが押されると、当該タグＩＤに対応する通知先情報で特定される通知先（例えば携帯電話）に所定の音声メッセージを発信する、または当該タグＩＤに対応する通知先情報で特定される通知先（例えば携帯電話）とリーダ１１との間で音声通話が可能な状態にする。
【００６４】
図１１は、本システムを構成する管理サーバ１２の構成の一例を示すブロック図であり、当該構成のうち本発明に関係する部分のみを概念的に示している。図１１において、符号１２は管理サーバであり、符号１３はネットワークである。図１１において、符号１２ａは制御部であり、符号１２ｂは記憶部であり、符号１２ｃは通信インターフェース部であり、符号１２ｄは入出力インターフェース部であり、符号１２ｅは入力装置であり、符号１２ｆは出力装置である。図１１において、符号１２ａ１は受信部であり、符号１２ａ２は検索部であり、符号１２ａ３は判定部であり、符号１２ａ４は通知部である。図１１において、符号１２ｂ１は、リーダ管理情報ファイルであり、符号１２ｂ２はタグ管理情報ファイルであり、符号１２ｂ３は読取履歴情報ファイルであり、符号１２ｂ４はＧＰＳ情報ファイルである。
【００６５】
管理サーバ１２は、リーダ１１とネットワーク１３経由で通信可能に接続されている。管理サーバ１２は、ＧＰＳ端末１５と通信可能に接続されている。管理サーバ１２は、大別して、本発明の受信手段、検索手段、判定手段および通知手段を含む制御部１２ａと、本発明の処理側記憶手段に相当する記憶部１２ｂと、通信インターフェース部１２ｃと、入出力インターフェース部１２ｄとで構成されており、これら各部は任意の通信路を介して通信可能に接続されている。
【００６６】
記憶部１２ｂは、各種のデータベースやテーブルやファイルなどを格納する。記憶部１２ｂは、ストレージ手段であり、例えば、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置や、ＨＤ（Ｈａｒｄ  Ｄｉｓｋ：ハードディスク）のような固定ディスク装置や、フレキシブルディスクや、光ディスク等を用いることができる。記憶部１２ｂは、図示の如く、大別して、本発明の読取器管理情報を含むリーダ管理情報ファイル１２ｂ１と、本発明の通信器管理情報を含むタグ管理情報ファイル１２ｂ２と、本発明の読取履歴情報を含む読取履歴情報ファイル１２ｂ３と、ＧＰＳ情報ファイル１２ｂ４と、を格納する。
【００６７】
リーダ管理情報ファイル１２ｂ１は、本発明の読取器管理情報に相当するリーダ管理情報を格納する。リーダ管理情報は、リーダＩＤと、本発明の設置場所情報に相当する設置場所情報とからなる。設置場所情報は、リーダ１１の設置場所（アクセスポイント）に関する情報（例えば住所や地図など）である。ここで、リーダ管理情報ファイル１２ｂ１に格納される情報について図１２を参照して説明する。図１２は、リーダ管理情報ファイル１２ｂ１に格納される情報の一例を示す図である。図１２に示すように、リーダ管理情報ファイル１２ｂ１は、リーダＩＤと設置場所情報とを相互に関連付けて格納する。
【００６８】
図１１に戻り、タグ管理情報ファイル１２ｂ２は、本発明の通信器管理情報に相当するタグ管理情報を格納する。タグ管理情報は、タグＩＤと、本発明の所持者情報に相当する所持者情報と、通知先情報と、本発明の読取器識別情報および読取予定時間を含む登録リーダ情報と、ＧＰＳ−ＩＤと、からなる。所持者情報は、タグ１０およびＧＰＳ端末１５の所持者に関する情報（例えば所持者の氏名や住所や通学先や勤務先など）である。通知先情報は、前記所持者の例えば保護者などが所有する携帯電話の例えばメールアドレスや電話番号などに関する情報である。登録リーダ情報は、上述したアクセスポイント通過スケジュールに相当するものであり、リーダＩＤと読取予定時間との複数のペアからなる情報である。読取予定時間は、リーダ１１がタグＩＤを読み取る予定の時間に関する情報である。ここで、タグ管理情報ファイル１２ｂ２に格納される情報について図１３を参照して説明する。図１３は、タグ管理情報ファイル１２ｂ２に格納される情報の一例を示す図である。図１３に示すように、タグ管理情報ファイル１２ｂ２は、タグＩＤと、所持者情報と、通知先情報と、登録リーダ情報（リーダＩＤと読取予定時間との複数のペア）と、ＧＰＳ−ＩＤと、を相互に関連付けて格納する。
【００６９】
図１１に戻り、読取履歴情報ファイル１２ｂ３は、本発明の読取履歴情報に相当する読取履歴情報を格納する。読取履歴情報は、タグＩＤと、リーダＩＤと、読取時刻と、カメラ１４で撮像した画像と、からなる。ここで、読取履歴情報ファイル１２ｂ３に格納される情報について図１４を参照して説明する。図１４は、読取履歴情報ファイル１２ｂ３に格納される情報の一例を示す図である。図１４に示すように、読取履歴情報ファイル１２ｂ３は、タグＩＤと、リーダＩＤと、読取時刻と、画像と、を相互に関連付けて格納する。
【００７０】
図１１に戻り、ＧＰＳ情報ファイル１２ｂ４は、ＧＰＳ情報を格納する。ＧＰＳ情報は、ＧＰＳ−ＩＤと、ＧＰＳ位置情報と、ＧＰＳ端末１５が当該ＧＰＳ位置情報をＧＰＳ衛星から受信した受信時刻と、からなる。ここで、ＧＰＳ情報ファイル１２ｂ４に格納される情報について図１５を参照して説明する。図１５は、ＧＰＳ情報ファイル１２ｂ４に格納される情報の一例を示す図である。図１５に示すように、ＧＰＳ情報ファイル１２ｂ４は、ＧＰＳ−ＩＤと、ＧＰＳ位置情報と、受信時刻と、を相互に関連付けて格納する。
【００７１】
図１１に戻り、通信インターフェース部１２ｃは、ルータ等の通信装置および専用線等の有線または無線の通信回線を介して当該管理サーバ１２をネットワーク１３に通信可能に接続する。通信インターフェース部１２ｃは、管理サーバ１２とネットワーク１３（またはルータ等の通信装置）との間における通信を媒介する。すなわち、通信インターフェース部１２ｃは他の端末と通信回線を介してデータを通信する機能を有する。
【００７２】
入出力インターフェース部１２ｄは、入力装置１２ｅや出力装置１２ｆに接続する。ここで、出力装置１２ｆには、モニタ（家庭用テレビを含む）の他、スピーカやプリンタを用いることができる（なお、以下で、出力装置１２ｆをモニタとして記載する場合がある。）。また、入力装置１２ｅには、キーボードやマウスやマイクの他、マウスと協働してポインティングデバイス機能を実現するモニタを用いることができる。
【００７３】
制御部１２ａは、管理サーバ１２を統括的に制御するＣＰＵ（Ｃｅｎｔｒａｌ  Ｐｒｏｃｅｓｓｉｎｇ  Ｕｎｉｔ）等である。制御部１２ａは、ＯＳ（Ｏｐｅｒａｔｉｎｇ  Ｓｙｓｔｅｍ）等の制御プログラム、各種の処理手順等を規定したプログラムおよび所要データを格納するための内部メモリを有し、これらのプログラムに基づいて種々の処理を実行するための情報処理を行う。制御部１２ａは、図示の如く、大別して、本発明の受信手段に相当する受信部１２ａ１と、本発明の検索手段に相当する検索部１２ａ２と、本発明の判定手段に相当する判定部１２ａ３と、本発明の通知手段に相当する通知部１２ａ４と、を備える。
【００７４】
受信部１２ａ１は、リーダ１１から送信されたタグＩＤ、読取時刻およびリーダＩＤなどを受信し、読取履歴情報ファイル１２ｂ３の所定の記憶領域に格納する。受信部１２ａ１は、ＧＰＳ端末１５から送信されたＧＰＳ−ＩＤ、ＧＰＳ位置情報および受信時刻などを受信し、ＧＰＳ情報ファイル１２ｂ４の所定の記憶領域に格納する。
【００７５】
検索部１２ａ２は、受信部１２ａ１で受信した情報に基づいて、例えば以下（２１）〜（２３）などの検索処理を実行する。
【００７６】
（２１）受信部１２ａ１で受信したタグＩＤを含むタグ管理情報を、タグ管理情報ファイル１２ｂ２から検索する。
【００７７】
（２２）受信部１２ａ１で受信したリーダＩＤを含むリーダ管理情報を、リーダ管理情報ファイル１２ｂ１から検索する。
【００７８】
（２３）受信部１２ａ１で受信したリーダＩＤを含み且つ受信部１２ａ１で受信した読取時刻から所定時間遡った時刻までに該当する読取時刻を含む読取履歴情報を、読取履歴情報ファイル１２ｂ３から検索し、検索した読取履歴情報を構成するタグＩＤと関連付けられている所持者情報を、タグ管理情報ファイル１２ｂ２から検索する。
【００７９】
判定部１２ａ３は、検索部１２ａ２で検索した情報に基づいて、例えば以下（３１）〜（３２）などの判定処理を実行する。
【００８０】
（３１）検索部１２ａ２で検索したタグ管理情報が、受信部１２ａ１で受信したリーダＩＤを含むか否かを判定する。
【００８１】
（３２）検索部１２ａ２で検索したタグ管理情報を構成する読取予定時間が、受信部１２ａ１で受信した読取時刻を含むか否かを判定する。
【００８２】
通知部１０２ａ４は、判定部１２ａ３での判定結果に基づいて、例えば以下（４１）〜（４２）などの通知処理を実行する。
【００８３】
（４１）判定部１２ａ３での判定結果が、“受信部１２ａ１で受信したリーダＩＤを含まない”というものであった場合、予め設定したリーダ１１以外のものがタグ１０を検出したことを、検索部１２ａ２で検索したリーダ管理情報を構成する設置場所情報、検索部１２ａ２で検索した所持者情報、受信部１２ａ１で受信した読取時刻、受信部１２ａ１で受信した画像、および受信部１２ａ１で受信したＧＰＳ位置情報と共に、検索部１２ａ２で検索したタグ管理情報を構成する通知先情報で特定される通知先に通知する。
【００８４】
（４２）判定部１２ａ３での判定結果が、“受信部１２ａ１で受信したリーダＩＤを含まない”且つ“受信部１２ａ１で受信した読取時刻を含む”というものであった場合、予め設定したリーダ１１以外のものが予定の時間にタグ１０を検出したことを、検索部１２ａ２で検索したリーダ管理情報を構成する設置場所情報、検索部１２ａ２で検索した所持者情報、受信部１２ａ１で受信した読取時刻、受信部１２ａ１で受信した画像、および受信部１２ａ１で受信したＧＰＳ位置情報と共に、検索部１２ａ２で検索したタグ管理情報を構成する通知先情報で特定される通知先に通知する。
【００８５】
図９に戻り、ネットワーク１３は、管理サーバ１２とリーダ１１とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ（登録商標）等の局所無線網や、ＰＨＳ網や、ＣＳ、ＢＳまたはＩＳＤＢ等の衛星通信網等のうちいずれかを含んでもよい。これにより、管理サーバ１２は、有線・無線を問わず任意のネットワークを介して、各種データを送受信することができる。
［３．システムの処理］
上述した構成の本システムで行われる処理の一例について図１６から図１９を参照して説明する。
【００８６】
図１６は、本システムで行われる通知処理（その１）の一例を示すフローチャートである。タグ１０の所持者がリーダ１１の通信範囲を通過すると、本システムは以下の処理を実行する。
【００８７】
まず、リーダ１１は、読取部１１ｂで、タグ１０のタグＩＤを読み取る（ステップＳＡ１）。つぎに、リーダ１１は、ステップＳＡ１でタグＩＤを読み取ると、取得部１１ｄで、計時部１１ｃから読取時刻を取得すると共にカメラ１４から画像を取得する（ステップＳＡ２）。つぎに、リーダ１１は、送信部１１ｅで、ステップＳＡ１で読み取ったタグＩＤ、ステップＳＡ２で取得した読取時刻および画像、記憶部１１ａで記憶したリーダＩＤを、管理サーバ１２にネットワーク１３経由で送信する（ステップＳＡ３）。
【００８８】
つぎに、管理サーバ１２は、受信部１２ａ１で、ステップＳＡ３で送信したタグＩＤ、リーダＩＤ、読取時刻および画像を受信し、読取履歴情報ファイル１２ｂ３の所定の記憶領域に格納する（ステップＳＡ４）。
【００８９】
つぎに、管理サーバ１２は、検索部１２ａ２で、ステップＳＡ４で受信したタグＩＤを含むタグ管理情報をタグ管理情報ファイル１２ｂ２から検索すると共に、ステップＳＡ４で受信したリーダＩＤを含むリーダ管理情報をリーダ管理情報ファイル１２ｂ１から検索する（ステップＳＡ５）。
【００９０】
つぎに、管理サーバ１２は、判定部１２ａ３で、ステップＳＡ５で検索したタグ管理情報がステップＳＡ４で受信したリーダＩＤを含むか否かを判定すると共に、ステップＳＡ５で検索したタグ管理情報を構成する読取予定時間がステップＳＡ４で受信した読取時刻を含むか否かを判定する（ステップＳＡ６）。
【００９１】
つぎに、管理サーバ１２は、ステップＳＡ６での判定結果が“受信したリーダＩＤを含む”というものではない場合（ステップＳＡ７：Ｎｏ）、検索部１２ａ２で、ステップＳＡ４で受信したリーダＩＤを含み且つステップＳＡ４で受信した読取時刻から所定時間遡った時刻までに該当する読取時刻を含む読取履歴情報を、読取履歴情報ファイル１２ｂ３から検索する（ステップＳＡ８）。つまり、スケジュールとして予め登録したアクセスポイントと異なるアクセスポイントでタグ１０が検出された場合には、管理サーバ１２は、そのことを保護者に通知する必要があるので、ステップＳＡ８以降の処理を実行する。
【００９２】
つぎに、管理サーバ１２は、検索部１２ａ２で、ステップＳＡ８で検索した読取履歴情報を構成するタグＩＤと関連付けられている所持者情報（上述した同伴者情報に相当）を、タグ管理情報ファイル１２ｂ２から検索する（ステップＳＡ９）。
【００９３】
つぎに、管理サーバ１２は、ステップＳＡ６での判定結果が“受信した読取時刻を含む”というものであった場合（ステップＳＡ１０：Ｙｅｓ）、通知部１２ａ４で、予め設定したリーダ１１以外のものが予定時間にタグ１０を検出したことを、ステップＳＡ５で検索したリーダ管理情報を構成する設置場所情報、ステップＳＡ４で受信した読取時刻、ステップＳＡ９で検索した所持者情報およびステップＳＡ４で受信した画像と共に、ステップＳＡ５で検索したタグ管理情報を構成する通知先情報で特定される通知先（具体的には保護者の携帯電話の電子メールアドレス）に通知する（ステップＳＡ１１）。
【００９４】
一方、管理サーバ１２は、ステップＳＡ６での判定結果が“受信した読取時刻を含む”というものでなかった場合（ステップＳＡ１０：Ｎｏ）、通知部１２ａ４で、予め設定したリーダ１１以外のものがタグ１０を検出したことを、ステップＳＡ５で検索したリーダ管理情報を構成する設置場所情報、ステップＳＡ４で受信した読取時刻、ステップＳＡ９で検索した所持者情報およびステップＳＡ４で受信した画像と共に、ステップＳＡ５で検索したタグ管理情報を構成する通知先情報で特定される通知先（具体的には保護者の携帯電話の電子メールアドレス）に通知する（ステップＳＡ１２）。
【００９５】
以上の処理により、保護者は、タグ１０の所持者が予め登録したスケジュールから外れたということを知ることができるだけでなく、さらに、それに付随する情報として、例えば当該所持者が居るアクセスポイントの位置や、当該所持者のタグ１０の読取時刻や、当該アクセスポイント付近を写した画像や、当該アクセスポイントで前記読取時刻とほぼ同時刻に検出された他の所持者、などに関する情報を得ることができる。これにより、保護者は、タグ１０の所持者が置かれている状況を詳細に把握することができ、結果的に、当該所持者が予め登録したスケジュールから外れたということの重大性や危険性などを適確に判断することができる。例えば、通知された所持者の中に知人や友人が含まれている場合、保護者は、予め登録したスケジュールから外れたことがそれほど重大ではないという認識を得ることができる。
【００９６】
これにて、通知処理（その１）の説明を終了する。
【００９７】
図１７は、本システムで行われる通知処理（その２）の一例を示すフローチャートである。
【００９８】
まず、ＧＰＳ端末１５は、ＧＰＳ−ＩＤ、ＧＰＳ位置情報および受信時刻を管理サーバ１２に定期的に送信する（ステップＳＢ１）。
【００９９】
つぎに、管理サーバ１２は、受信部１２ａ１で、ステップＳＢ１で送信したＧＰＳ−ＩＤ、ＧＰＳ位置情報および受信時刻を受信し、ＧＰＳ情報ファイル１２ｂ４の所定の記憶領域に格納する（ステップＳＢ２）。
【０１００】
つぎに、管理サーバ１２は、検索部１２ａ２で、ステップＳＢ２で受信したＧＰＳ−ＩＤを含むタグ管理情報をタグ管理情報ファイル１２ｂ２から検索する（ステップＳＢ３）。
【０１０１】
つぎに、管理サーバ１２は、検索部１２ａ２で、ステップＳＢ３で検索したタグ管理情報を構成するリーダＩＤを含むリーダ管理情報をリーダ管理情報ファイル１２ｂ１から検索する（ステップＳＢ４）。
【０１０２】
つぎに、管理サーバ１２は、判定部１２ａ３で、ステップＳＢ４で検索したリーダ管理情報を構成する設置場所情報に、ステップＳＢ２で受信したＧＰＳ位置情報が含まれるか否かを判定する（ステップＳＢ５）。
【０１０３】
つぎに、管理サーバ１２は、ステップＳＢ５での判定結果が“ＧＰＳ位置情報が含まれる”というものでなかった場合（ステップＳＢ６：Ｎｏ）、検索部１２ａ２で、ステップＳＢ２で受信した受信時刻から所定時間遡った時刻までに該当する受信時刻を含み且つステップＳＢ２で受信したＧＰＳ位置情報を中心とした所定範囲内に該当するＧＰＳ位置情報を含むＧＰＳ情報を、ＧＰＳ情報ファイル１２ｂ４から検索する（ステップＳＢ７）。
【０１０４】
つぎに、管理サーバ１２は、検索部１２ａ２で、ステップＳＢ７で検索したＧＰＳ情報を構成するＧＰＳ−ＩＤを含むタグ管理情報を、タグ管理情報ファイル１２ｂ２から検索する（ステップＳＢ８）。
【０１０５】
つぎに、管理サーバ１２は、通知部１２ａ４で、ＧＰＳ端末１５が予め登録したアクセスポイントを含むエリア外にあることを、ステップＳＢ２で受信したＧＰＳ位置情報およびステップＳＢ８で検索したタグ管理情報を構成する所持者情報と共に、ステップＳＢ３で検索したタグ管理情報を構成する通知先情報で特定される通知先（具体的には保護者の携帯電話の電子メールアドレス）に通知する（ステップＳＢ９）。
【０１０６】
以上の処理により、保護者は、ＧＰＳ端末１５の所持者が予め登録したアクセスポイントを含むエリアから外れたということを知ることができるだけでなく、さらに、それに付随する情報として、例えば当該所持者が居る位置や、ほぼ同時刻に当該位置から所定範囲内に居る他の所持者、などに関する情報を得ることができる。これにより、保護者は、ＧＰＳ端末１５の所持者が置かれている状況を詳細に把握することができ、結果的に、当該所持者が予め登録したエリアから外れたということの重大性や危険性などを適確に判断することができる。
【０１０７】
これにて、通知処理（その２）の説明を終了する。
【０１０８】
図１８は、本システムで行われる異常通報処理の一例を示すフローチャートである。タグ１０の所持者がリーダ１１の通報ボタン１１ｇを押すと、本システムは以下の処理を実行する。
【０１０９】
まず、リーダ１１は、読取部１１ｂで、タグ１０のタグＩＤを読み取る（ステップＳＣ１）。つぎに、リーダ１１は、ステップＳＡ１でタグＩＤを読み取ると、取得部１１ｄで、計時部１１ｃから読取時刻を取得すると共にカメラ１４から画像を取得する（ステップＳＣ２）。つぎに、リーダ１１は、異常通報部１１ｆで、タグ１０の所持者が異常を知らせていることを示す異常通報を、ステップＳＣ１で読み取ったタグＩＤ、ステップＳＣ２で取得した読取時刻および画像、記憶部１１ａで記憶したリーダＩＤと共に、管理サーバ１２にネットワーク１３経由で送信する（ステップＳＣ３）。
【０１１０】
つぎに、管理サーバ１２は、受信部１２ａ１で、ステップＳＣ３で送信した異常通報、タグＩＤ、読取時刻、画像およびリーダＩＤを受信し、読取履歴情報ファイル１２ｂ３の所定の記憶領域などに格納する（ステップＳＣ４）。
【０１１１】
つぎに、管理サーバ１２は、検索部１２ａ２で、ステップＳＣ４で受信したタグＩＤを含むタグ管理情報をタグ管理情報ファイル１２ｂ２から検索し、ステップＳＣ４で受信したリーダＩＤを含むリーダ管理情報をリーダ管理情報ファイル１２ｂ１から検索し、ステップＳＣ４で受信したリーダＩＤを含み且つステップＳＣ４で受信した読取時刻から所定時間遡った時刻までに該当する読取時刻を含む読取履歴情報を読取履歴情報ファイル１２ｂ３から検索する（ステップＳＣ５）。
【０１１２】
つぎに、管理サーバ１２は、検索部１２ａ２で、ステップＳＣ５で検索した読取履歴情報を構成するタグＩＤと関連付けられている所持者情報を、タグ管理情報ファイル１２ｂ２から検索する（ステップＳＣ６）。
【０１１３】
つぎに、管理サーバ１２は、通知部１２ａ４で、ステップＳＣ４で受信した異常通報を、ステップＳＣ５で検索したリーダ管理情報を構成する設置場所情報、ステップＳＣ６で検索した所持者情報、ステップＳＣ４で受信した読取時刻およびステップＳＣ４で受信した画像と共に、ステップＳＣ５で検索したタグ管理情報を構成する通知先情報で特定される通知先に通知する（ステップＳＣ７）。
【０１１４】
以上の処理により、保護者は、タグ１０の所持者が異常を訴えていることを知ることができるだけでなく、さらに、それに付随する情報として、例えば当該所持者がいるアクセスポイントの位置や、当該所持者のタグ１０の読取時刻や、当該アクセスポイント付近を写した画像や、当該アクセスポイントで前記読取時刻とほぼ同時刻に検出された他の所持者、などに関する情報を即座に得ることができる。これにより、保護者は、タグ１０の所持者が置かれている状況を詳細に把握することができ、その異常な実態を適確に判断することができる。例えば、通知された画像に不審者が写っている場合、保護者は、警察に通報したり地域のコミュニティーに連絡したりして人をその場に向わせるなどの適切な対応を素早くとることができる。
【０１１５】
これにて、異常通報処理の説明を終了する。
【０１１６】
図１９は、本システムで行われる音声通信処理の一例を示すフローチャートである。タグ１０の所持者がリーダ１１の通信ボタン１１ｉを押すと、本システムは以下の処理を実行する。
【０１１７】
まず、リーダ１１は、読取部１１ｂで、タグ１０で記憶したタグＩＤおよび通知先情報を読み取る（ステップＳＤ１）。
【０１１８】
つぎに、リーダ１１は、音声通信部１１ｈで、所定の音声メッセージをステップＳＤ１で読み取った通知先情報で特定される通知先に通知する、またはステップＳＤ１で読み取った通知先情報で特定される通知先と音声通話が可能な状態を確立する（ステップＳＤ２）。
【０１１９】
以上の処理により、タグ１０の所持者は、積極的なアクションにより、アクセスポイントから当該所持者の保護者と直接会話をしたり、アクセスポイントから保護者に音声メッセージを通知したりすることができる。そして、当該所持者は、このアクションにより、緊急な状況において保護者と連絡が取れたという安堵感を得ることができる。また、保護者は、電子メールなどの文章情報では伝えきれない当該所持者の心境などを直接感じ取ることができる。
【０１２０】
これにて、音声通信処理の説明を終了する。
【産業上の利用可能性】
【０１２１】
本発明にかかる監視システムは、ＲＦＩＤタグを用いた情報通信分野など産業上の様々な分野において有用であり、特に、登校・下校時における児童の監視に適している。
【図面の簡単な説明】
【０１２２】
【図１】本システムの概要（その１）を示す図
【図２】本システムの概要（その２）を示す図
【図３】本システムの概要（その３）を示す図
【図４】本システムの概要（その４）を示す図
【図５】本システムの概要（その５）を示す図
【図６】本システムの概要（その６）を示す図
【図７】本システムの概要（その７）を示す図
【図８】本システムの概要（その８）を示す図
【図９】本システムの全体構成の一例を示す図
【図１０】本システムを構成するリーダの構成の一例を示すブロック図
【図１１】本システムを構成する管理サーバの構成の一例を示すブロック図
【図１２】リーダ管理情報ファイルに格納される情報の一例を示す図
【図１３】タグ管理情報ファイルに格納される情報の一例を示す図
【図１４】読取履歴情報ファイルに格納される情報の一例を示す図
【図１５】ＧＰＳ情報ファイルに格納される情報の一例を示す図
【図１６】本システムで行われる通知処理（その１）の一例を示すフローチャート
【図１７】本システムで行われる通知処理（その２）の一例を示すフローチャート
【図１８】本システムで行われる異常通報処理の一例を示すフローチャート
【図１９】本システムで行われる音声通信処理の一例を示すフローチャート
【符号の説明】
【０１２３】
１    監視システム
１０    タグ
１０ａ    記憶部
１１    リーダ
１１ａ    記憶部
１１ｂ    読取部
１１ｃ    計時部
１１ｄ    取得部
１１ｅ    送信部
１１ｆ    異常通報部
１１ｇ    通報ボタン
１１ｈ    音声通信部
１１ｉ    通信ボタン
１２    管理サーバ
１２ａ    制御部
１２ａ１    受信部
１２ａ２    検索部
１２ａ３    判定部
１２ａ４    通知部
１２ｂ    記憶部
１２ｂ１    リーダ管理情報ファイル
１２ｂ２    タグ管理情報ファイル
１２ｂ３    読取履歴情報ファイル
１２ｂ４    ＧＰＳ情報ファイル
１２ｃ    通信インターフェース部
１２ｄ    入出力インターフェース部
１２ｅ    入力装置
１２ｆ    出力装置
１３    ネットワーク
１４    カメラ
１５    ＧＰＳ端末
【図１】
2009093400.tif 000003
【図２】
2009093400.tif 000004
【図３】
2009093400.tif 000005
【図４】
2009093400.tif 000006
【図５】
2009093400.tif 000007
【図６】
2009093400.tif 000008
【図７】
2009093400.tif 000009
【図８】
2009093400.tif 000010
【図９】
2009093400.tif 000011
【図１０】
2009093400.tif 000012
【図１１】
2009093400.tif 000013
【図１２】
2009093400.tif 000014
【図１３】
2009093400.tif 000015
【図１４】
2009093400.tif 000016
【図１５】
2009093400.tif 000017
【図１６】
2009093400.tif 000018
【図１７】
2009093400.tif 000019
【図１８】
2009093400.tif 000020
【図１９】
2009093400.tif 000021